(57)【要約】【課題】プロジェクターに設けられたカラーセンサーの劣化量に応じた処理を行う。【解決手段】プロジェクターは、外部の投写面に映像を投写する投写部と、投写面からの反射光の色を検知し、第１色成分および第２色成分の検知結果を出力する第１色検知部と、投写面からの反射光の色を検知し、第１色成分および第２色成分の検知結果を出力する第２色検知部と、第１色検知部および第２色検知部の出力から得られる、第１色検知部または第２色検知部の劣化量に応じた処理を行う処理部とを有する。【選択図】図１
2017040676.tif 000002
【特許請求の範囲】
【請求項１】
外部の投写面に映像を投写する投写部と、
前記投写面からの反射光の色を検知し、第１色成分および第２色成分の検知結果を出力する第１色検知部と、
前記投写面からの反射光の色を検知し、前記第１色成分および前記第２色成分の検知結果を出力する第２色検知部と、
前記第１色検知部および前記第２色検知部の出力から得られる、前記第１色検知部または前記第２色検知部の劣化量に応じた処理を行う処理部と
を有するプロジェクター。
【請求項２】
前記第１色検知部は、第１カラーセンサーを含み、
前記第２色検知部は、前記第１カラーセンサーと共通の特性を有する第２カラーセンサー、および当該第２カラーセンサーの受光面に設けられ、特定の波長帯の光の透過特性が空気と異なる光学フィルターを含む
ことを特徴とする請求項１に記載のプロジェクター。
【請求項３】
前記光学フィルターは、紫外線カットフィルターである
ことを特徴とする請求項２に記載のプロジェクター。
【請求項４】
前記第１色検知部は、第１カラーセンサーを含み、
前記第２色検知部は、特定の波長帯の光に対する劣化特性が前記第１カラーセンサーと異なる第２カラーセンサーを含む
ことを特徴とする請求項１に記載のプロジェクター。
【請求項５】
前記処理部は、前記処理として、前記第１色検知部の出力値に対して当該第１色検知部の劣化を補償するための補正、または前記第２色検知部の出力値に対して当該第２色検知部の劣化を補償するための補正を行う
ことを特徴とする請求項１ないし４のいずれか一項に記載のプロジェクター。
【請求項６】
前記第１色検知部および前記第２色検知部の出力の差並びに当該差に対応する劣化補償量を記憶した記憶部を有し、
前記処理部は、前記第１色検知部および前記第２色検知部の出力の差に対応する劣化補償量を前記記憶部から読み出し、当該読み出した劣化補償量を用いて当該第１色検知部または当該第２色検知部の出力を補正する
ことを特徴とする請求項５に記載のプロジェクター。
【請求項７】
前記第１色成分は赤色成分であり、
前記第２色成分は青色成分であり、
前記処理部は、（前記第２色成分の出力）／（前記第１色成分の出力）に応じて前記第２色成分の出力を補償する
ことを特徴とする請求項５または６に記載のプロジェクター。
【請求項８】
前記処理部は、前記処理として、前記劣化量が許容範囲から外れた場合にその旨を報知する
ことを特徴とする請求項１ないし７のいずれか一項に記載のプロジェクター。
【請求項９】
外部の投写面に映像を投写するステップと、
前記投写面からの反射光の色を第１色検知部が検知し、第１色成分および第２色成分の検知結果を出力するステップと、
前記投写面からの反射光の色を第２色検知部が検知し、前記第１色成分および前記第２色成分の検知結果を出力するステップと、
前記第１色検知部および前記第２色検知部の出力から得られる、前記第１色検知部または前記第２色検知部の劣化量に応じた処理を行うステップと
を有するプロジェクターの制御方法。
【発明の詳細な説明】
【技術分野】
【０００１】
本発明は、投写面からの反射光の色を検知するセンサーを有するプロジェクターに関する。
【背景技術】
【０００２】
プロジェクターにおいては、投写面（例えばスクリーン）の色やプロジェクター自身の経年変化によって投写面に投写される映像のホワイトバランスが崩れてしまう問題が知られている。この問題を解決する一つの手段として、投写面からの反射光の色を検知するカラーセンサーをプロジェクターに設ける技術が知られている（例えば特許文献１）。
【先行技術文献】
【特許文献】
【０００３】
【特許文献１】特開２００７−３００１８７号公報
【発明の概要】
【発明が解決しようとする課題】
【０００４】
特許文献１に記載の技術においては、カラーセンサー自身が経年劣化してしまい、投写面の映像の色を正確に検知できなくなるという問題があった。
【０００５】
これに対し本発明は、プロジェクターに設けられたカラーセンサーの劣化量に応じた処理を行う技術を提供する。
【課題を解決するための手段】
【０００６】
本発明は、外部の投写面に映像を投写する投写部と、前記投写面からの反射光の色を検知し、第１色成分および第２色成分の検知結果を出力する第１色検知部と、前記投写面からの反射光の色を検知し、前記第１色成分および前記第２色成分の検知結果を出力する第２色検知部と、前記第１色検知部および前記第２色検知部の出力から得られる、前記第１色検知部または前記第２色検知部の劣化量に応じた処理を行う処理部とを有するプロジェクターを提供する。
このプロジェクターによれば、第１色検知部または第２色検知部の劣化量に応じた処理を行うことができる。
【０００７】
前記第１色検知部は、第１カラーセンサーを含み、前記第２色検知部は、前記第１カラーセンサーと共通の特性を有する第２カラーセンサー、および当該第２カラーセンサーの受光面に設けられ、特定の波長帯の光の透過特性が空気と異なる光学フィルターを含んでもよい。
このプロジェクターによれば、特定の波長帯の光の透過特性の差によって第１色検知部の劣化量を知ることができる。
【０００８】
前記光学フィルターは、紫外線カットフィルターであってもよい。
このプロジェクターによれば、紫外光の透過特性の差によって第１色検知部または第２色検知部の劣化量を知ることができる。
【０００９】
前記第１色検知部は、第１カラーセンサーを含み、前記第２色検知部は、特定の波長帯の光に対する劣化特性が前記第１カラーセンサーと異なる第２カラーセンサーを含んでもよい。
このプロジェクターによれば、第１カラーセンサーと第２カラーセンサーとの劣化特性の差によって第１色検知部または第２色検知部の劣化量を知ることができる。
【００１０】
前記処理部は、前記処理として、前記第１色検知部の出力値に対して当該第１色検知部の劣化を補償するための補正、または前記第２色検知部の出力値に対して当該第２色検知部の劣化を補償するための補正を行ってもよい。
このプロジェクターによれば、第１色検知部または第２色検知部の劣化を補償した出力を得ることができる。
【００１１】
このプロジェクターは、前記第１色検知部および前記第２色検知部の出力の差並びに当該差に対応する劣化補償量を記憶した記憶部を有し、前記処理部は、前記第１色検知部および前記第２色検知部の出力の差に対応する劣化補償量を前記記憶部から読み出し、当該読み出した劣化補償量を用いて当該第１色検知部または当該第２色検知部の出力を補正してもよい。
このプロジェクターによれば、記憶部に記憶されているデータに基づいて第１色検知部または第２色検知部の劣化を補償することができる。
【００１２】
前記第１色成分は赤色成分であり、前記第２色成分は青色成分であり、前記処理部は、（前記第２色成分の出力）／（前記第１色成分の出力）に応じて前記第２色成分の出力を補償してもよい。
このプロジェクターによれば、赤色成分を基準として青色成分の出力を補償することができる。
【００１３】
前記処理部は、前記処理として、前記劣化量が許容範囲から外れた場合にその旨を報知してもよい。
このプロジェクターによれば、ユーザーは、第１色検知部が劣化したことを知ることができる。
【００１４】
また、本発明は、外部の投写面に映像を投写するステップと、前記投写面からの反射光の色を第１色検知部が検知し、第１色成分および第２色成分の検知結果を出力するステップと、前記投写面からの反射光の色を第２色検知部が検知し、前記第１色成分および前記第２色成分の検知結果を出力するステップと、前記第１色検知部および前記第２色検知部の出力から得られる、前記第１色検知部または前記第２色検知部の劣化量に応じた処理を行うステップとを有するプロジェクターの制御方法を提供する。
この制御方法によれば、第１色検知部または第２色検知部の劣化量に応じた処理を行うことができる。
【図面の簡単な説明】
【００１５】
【図１】一実施形態に係るプロジェクター１の構成を例示する図。
【図２】劣化特性を例示する図。
【図３】ＬＵＴ１７１の機能を例示する図。
【図４】プロジェクター１の一実施形態に係る動作を例示するフローチャート。
【発明を実施するための形態】
【００１６】
１．構成
図１は、一実施形態に係るプロジェクター１の構成を例示する図である。プロジェクター１は、投写された映像の色を検知して色補正を行う機能を有する。プロジェクター１は、映像入力部１１、色補正部１２、投写部１３、色測定部１４、色測定部１５、劣化量算出部１６、記憶部１７、および補正値算出部１８を有する。これらは筐体Ｈに収められている。
【００１７】
映像入力部１１は、外部から映像信号の入力を受け付ける。以下、映像入力部１１を介して入力された映像信号を「入力映像信号」といい、入力映像信号により示される映像を「入力映像」という。映像入力部１１は、例えば、所定の規格に従った入力端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子など）、およびＡ／Ｄコンバーターを含む（いずれも図示略）。
【００１８】
色補正部１２は、入力映像に対して色補正を行う。色補正部１２は、例えば、映像処理回路１２１を含む。色補正とは、入力映像の色を補正する処理をいう。色補正としては既知のもの（一例としてはガンマ補正）が用いられる。
【００１９】
投写部１３は、入力映像に応じた映像を、外部の投写面に投写する。投写面は、例えばスクリーンまたは壁面である。投写部１３は、光源１３１、光学系１３２、光変調器１３３、および投写光学系１３４を含む。光源１３１は、映像を投写するための光を出力する。光源１３１は、高圧水銀ランプ、ハロゲンランプ、もしくはメタルハライドランプなどのランプ、またはＬＥＤ（Light Emitting Diode）もしくはレーザーダイオードなどの固体光源、およびこれらの駆動回路を含む。この例で、光源１３１はいわゆる白色光を出力する。光学系１３２は、光源１３１から出力された光を光変調器１３３および投写光学系１３４まで導く光路を形成する。光学系１３２は、例えば、ミラー、レンズ、およびプリズムを含む。この例で、光学系１３２は、光源１３１から出力された白色光を、複数の色成分すなわち原色光（赤、緑、および青の光。以下それぞれ、Ｒ光、Ｇ光、およびＢ光という）に分離する。光変調器１３３は、光源１３１から出力された光を入力映像信号に応じて変調する。光変調器１３３は、例えば液晶パネルまたはＤＭＤ（Digital Mirror Device）、およびこれらの駆動回路を有する。この例で、光変調器１３３は、色成分毎に設けられている。Ｒ光、Ｇ光、およびＢ光を変調する光変調器１３３をそれぞれ区別するときは、光変調器１３３Ｒ、光変調器１３３Ｇ、および光変調器１３３Ｂという。投写光学系１３４は、レンズもしくはミラー、またはその両方を含み、光変調器１３３により変調された光を投写面に投写する。こうして投写面に形成される映像を「投写映像」という。
【００２０】
色測定部１４（第１色検知部の一例）は、投写面に投写された映像の色を測定する。色測定部１４は、カラーセンサー１４１（第１カラーセンサーの一例）を含む。カラーセンサー１４１は、投写面から反射された光の色を検知するセンサーである。カラーセンサーとは、複数の色成分に対して感度を有し、各色成分の光の強度に応じた信号を出力するセンサーをいう。この例で、カラーセンサー１４１は、Ｒ光、Ｇ光、およびＢ光の三原色光に対する感度を有するカラーセンサーである。
【００２１】
色測定部１５（第２色検知部の一例）は、投写面に投写された映像の色を測定する。色測定部１５は、カラーセンサー１５１（第２カラーセンサーの一例）およびフィルター１５２を含む。カラーセンサー１５１は、投写面から反射された光の色を検知するセンサーである。カラーセンサー１５１は、カラーセンサー１４１とセンサー特性が共通である（より具体的には、例えば型番が同じ製品である）。すなわち、カラーセンサー１５１は、カラーセンサー１４１と同様に、Ｒ光、Ｇ光、およびＢ光の三原色光に対する感度を有する。フィルター１５２は、特定の波長帯の光の透過特性が空気と異なる光学フィルターであり、この例では紫外線カットフィルターである。フィルター１５２は、カラーセンサー１５１の受光面に設けられている。フィルター１５２は、カラーセンサー１４１およびカラーセンサー１５１の劣化特性を異ならせるために設けられている。劣化特性とは、センサー特性（例えば感度）の経時的な劣化をいう。
【００２２】
図２は、劣化特性を例示する図である。この図において、横軸は使用時間を、縦軸はセンサー特性の一例である感度を示している。図で示されている感度は特定の波長の光に対する感度であり、使用開始時（使用時間ゼロ）を１００とした相対値で示されている。図中の実線はカラーセンサー１４１の劣化特性を、破線はカラーセンサー１５１の劣化特性を、それぞれ示している。センサー特性は種々の要因により経時劣化する。センサー特性を劣化させる要因の一つに、日光等の外部光に含まれる紫外線がある。使用に伴いカラーセンサーが受ける紫外線の積算受光量は増加していき、積算受光量の増加に伴ってセンサーの感度が低下していく。カラーセンサー１４１およびカラーセンサー１５１は、同じ型番の製品であるため本来的には劣化特性も同一であるはずである。しかし、カラーセンサー１５１にはフィルター１５２が設けられているのに対しカラーセンサー１４１には紫外線カットフィルターが設けられていないため、カラーセンサー１５１の紫外線受光量は、カラーセンサー１４１の紫外線受光量よりも少ない。そのため、カラーセンサー１５１はカラーセンサー１４１と比較すると劣化の進行が遅い。
【００２３】
図示した例ではセンサーの感度は単調減少している。そのため、カラーセンサー１４１およびカラーセンサー１５１の感度の差、すなわち、両者の出力値の差は使用時間に伴って単調増加する。これは、両者の出力値の差Δｓが分かれば、カラーセンサー１４１の出力値を使用時間ゼロの出力値すなわちセンサーの本来的な出力値に補正するための劣化補償量Δｃが分かることを意味する（すなわち、劣化補償量Δｃは差Δｓの関数である）。後述するように劣化補償量Δｃはカラーセンサー１４１の劣化の指標すなわち劣化量の一例である。このようにして、本実施形態においては、カラーセンサー１４１およびカラーセンサー１５１の出力値の差から、カラーセンサー１４１の劣化量が得られる。
【００２４】
再び図１を参照する。劣化量算出部１６は、カラーセンサー１４１の劣化補償量を算出する。劣化補償量は、カラーセンサー１４１の劣化量すなわち劣化の指標の一例であり、劣化したカラーセンサー１４１の検知結果を補償してより正確な検知結果を得るためのパラメーターである。この例では、ＣＰＵ１００が劣化量算出部１６として機能する。ＣＰＵ１００はプロジェクター１の各要素を制御するプロセッサーである。劣化補償量を算出することにより、劣化の程度を定量的に評価することができる。
【００２５】
記憶部１７は、カラーセンサー１４１およびカラーセンサー１５１の出力値の差から、対応する劣化補償量を得るためのルックアップテーブル（ＬＵＴ）１７１を記憶している。記憶部１７は、不揮発性の記憶装置例えばＲＯＭを含む。
【００２６】
図３は、ＬＵＴ１７１の機能を例示する図である。この図において、横軸はＬＵＴ１７１への入力である、カラーセンサー１４１およびカラーセンサー１５１の出力値の差Δｓを、縦軸はＬＵＴ１７１の出力である劣化補償量Δｃを、それぞれ示している。劣化量算出部１６は、カラーセンサー１４１およびカラーセンサー１５１の出力値から、まず両者の差Δｓを算出する。続いて、劣化量算出部１６は、算出された差Δｓに対応する劣化補償量Δｃを、ＬＵＴ１７１から得る。
【００２７】
再び図１を参照する。補正値算出部１８は、カラーセンサー１４１の劣化を補償した補正値を算出する。劣化したカラーセンサー１４１の出力値（検知結果）は正確な値を示していない可能性がある。したがって、カラーセンサー１４１からの出力値をそのまま用いて色補正を行うと、補正が正確に行われない可能性がある。そこで、補正値算出部１８は、カラーセンサー１４１の劣化を考慮して出力値を補正する。補正された出力値を補正値という。この例では、ＣＰＵ１００が補正値算出部１８として機能する。補正値は、色補正部１２に出力される。
【００２８】
劣化量算出部１６および補正値算出部１８は、カラーセンサー１４１の劣化量に応じた処理を行う処理部の一例である。
【００２９】
筐体Ｈは、例えば、金属や非透明の樹脂で形成される。
【００３０】
２．動作
図４は、プロジェクター１の一実施形態に係る動作を例示するフローチャートである。このフローチャートは、色補正部１２において用いられる補正値を算出する動作を示している。図３のフローは、例えば、補正値の更新条件が満たされたことを契機として開始される。補正値の更新条件は、例えば、ユーザーにより補正値の更新が指示されたこと、または、前回の更新から所定時間が経過したことである。
【００３１】
ステップＳ１００において、投写部１３は、色補正に用いられるテストパターンの映像を投写する。このテストパターンは、例えば画面全体が特定の階調（例えば白）となる映像である。このテストターンの投写に用いられるデータは、例えば記憶部１７に記憶されている。あるいは、テストパターンのデータは、映像入力部１１を介して外部装置から入力されてもよい。
【００３２】
ステップＳ１１０において、色測定部１４は、投写映像の色を測定する。ＣＰＵ１００は、テストパターンが投写された状態で、カラーセンサー１４１の出力信号から、センサーの出力値を取得する。カラーセンサー１４１は、Ｒ光、Ｇ光、およびＢ光に相当する波長帯に感度を有し、波長帯毎に検知結果を示す信号を出力する。このとき得られるＲ光、Ｇ光、およびＢ光に相当する出力値を、それぞれ、出力値Ｒ１、Ｇ１、およびＢ１という。
【００３３】
ステップＳ１２０において、色測定部１５は、投写映像の色を測定する。ＣＰＵ１００は、テストパターンが投写された状態で、カラーセンサー１５１の出力信号から、センサーの出力値を取得する。カラーセンサー１５１は、Ｒ光、Ｇ光、およびＢ光に相当する波長帯に感度を有し、波長帯毎に検知結果を示す信号を出力する。このとき得られるＲ光、Ｇ光、およびＢ光に相当する出力値を、それぞれ、出力値Ｒ２、Ｇ２、およびＢ２という。
【００３４】
ステップＳ１３０において、劣化量算出部１６は、劣化補償量を算出する。具体的には以下のとおりである。この例で、記憶部１７は、色成分毎にＬＵＴ１７１を記憶している。赤色、緑色、および青色に対応するＬＵＴ１７１を、それぞれＬＵＴ１７１Ｒ、ＬＵＴ１７１Ｇ、およびＬＵＴ１７１Ｂという。劣化量算出部１６は、ΔｓＲ＝Ｒ２−Ｒ１に対応する劣化補償量ΔｃＲをＬＵＴ１７１Ｒから、ΔｓＧ＝Ｇ２−Ｇ１に対応する劣化補償量ΔｃＧをＬＵＴ１７１Ｇから、ΔｓＢ＝Ｂ２−Ｂ１に対応する劣化補償量ΔｃＢをＬＵＴ１７１Ｂから、それぞれ取得する。
【００３５】
ステップＳ１４０において、補正値算出部１８は、ステップＳ１３０において算出された劣化補償量Δｃを用いて、カラーセンサー１４１の出力値を補正する。補正値すなわち補正された出力値Ｒａ、Ｇａ、およびＢａは次式（１）のとおり算出される。
Ｒａ＝Ｒ１＋ΔｃＲ
Ｇａ＝Ｇ１＋ΔｃＧ    …（１）
Ｂａ＝Ｂ１＋ΔｃＢ
【００３６】
ステップＳ１５０において、補正値算出部１８は、色補正部１２に対して補正値を設定する。具体的には、ＣＰＵ１００は、得られた補正値を映像処理回路１２１のレジスター（図示略）に書き込む。
【００３７】
ステップＳ１６０において、色補正部１２は、設定された補正値を用いて色補正を行う。
【００３８】
カラーセンサー１４１においては、受光面が筐体Ｈの外部に露出している。一般にカラーセンサーは長時間紫外線を受けると波長毎の感度（分光感度）が劣化してしまうという問題がある。例えば特許文献１においては紫外線によるカラーセンサーの劣化は考慮されておらず、カラーセンサーが劣化して測定精度が低下しても対処できないという問題があった。これに対しプロジェクター１によれば、カラーセンサー１４１の劣化を自動的に補償することができる。
【００３９】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００４０】
劣化補償量の計算方法は実施形態で例示したものに限定されない。例えば、ＣＰＵ１００は、カラーセンサー１４１からの出力値をｘｙＹ表色系に変換し、基準値Ｒ０、Ｇ０、およびＢ０に相当するｘ座標およびｙ座標との差分ΔｘおよびΔｙを劣化補償量として用いてもよい。この場合、ＣＰＵ１００は、テストパターンが投写されているときのカラーセンサー１４１の出力値をｘｙＹ表色系に変換する。この出力値をｘｙＹ表色系においてΔｘおよびΔｙに相当する量だけ平行移動させると、出力値を補償（正確な出力値を推定）することができる。出力値を補償した後は、ＣＰＵ１００は、ｘｙＹ表色系のまま補正値を算出してもよいし、ＲＧＢ表色系に戻してから補正値を算出してもよい。
【００４１】
カラーセンサー１４１の出力値の補正方法は実施形態で説明したものに限定されない。例えば、複数の色成分のうち一の色成分を基準として、他の色成分の出力値を基準色成分の出力値の比で評価してもよい。具体的には以下のとおりである。まず、劣化量算出部１６は、基準色成分に対する出力値の比を算出する。この例で、赤色が基準色である。すなわち、劣化量算出部１６は、（Ｂ１／Ｒ１）および（Ｇ１／Ｒ１）並びに（Ｂ２／Ｒ２）および（Ｇ２／Ｒ２）を算出する。次に、劣化量算出部１６は、これらの比の差を次式（２）のとおり算出する。
ΔｓＧ＝（Ｇ２／Ｒ２）−（Ｇ１／Ｒ１）
ΔｓＢ＝（Ｂ２／Ｒ２）−（Ｂ１／Ｒ１）    …（２）
この例で、ＬＵＴ１７１は、基準色に対する出力値の比が入力されると、この比の劣化補償量を出力する。劣化補償量ΔｃＧは（Ｇ１／Ｒ１）に対する補償量であり、劣化補償量ΔｃＢは（Ｂ１／Ｒ１）に対する補償量である。補正された出力値の比ＧａおよびＢａは、次式（３）のとおり算出される。
Ｇａ＝（Ｇ１／Ｒ１）＋ΔｃＧ
Ｂａ＝（Ｂ１／Ｒ１）＋ΔｃＢ    …（３）
なおこの場合は基準色である赤色の出力は補正されない。
【００４２】
実施形態においては全ての色成分について補正（劣化補償）を行う例を説明したが、特定の色成分についてのみ補正が行われてもよい。例えば、紫外線の影響により青色の波長帯におけるセンサー特性の劣化が激しいことが知られている場合、出力値Ｂ１に対してのみ補正が行われてもよい。基準色に対する出力値の比に対して補正を行う場合、（Ｂ１／Ｒ１）に対してのみ補正が行われてもよい。
【００４３】
色測定部１４および色測定部１５の構造は実施形態で説明した例に限定されない。例えば、色測定部１４はカラーセンサー１４１の受光面に設けられた光学フィルターを有していてもよい。この場合、カラーセンサー１４１の光学フィルターは、フィルター１５２と特定波長の光の透過率が異なっていればよい。別の例で、色測定部１４および色測定部１５は、いずれも光学フィルターを有していなくてもよい。この場合、カラーセンサー１４１およびカラーセンサー１５１は特定の波長帯の光に対する劣化特定が異なっていればよい（劣化の速いものと遅いもの。例えば異なる型番の製品）。
【００４４】
フィルター１５２は紫外線カットフィルターに限定されない。他の波長帯の光をカットするフィルターであってもよい。
【００４５】
２つのカラーセンサーの出力値の差から劣化補償量を得るための具体的な方法は、記憶部１７に記憶されているＬＵＴ１７１を用いるものに限定されない。ハードウェアＬＵＴによって劣化補償量を得てもよいし、ネットワーク上のサーバ等の他の装置から劣化補償量を得てもよい。
【００４６】
劣化補償量が大きくなりすぎると補償の精度が低下する。したがって、ＣＰＵ１００は、劣化補償量があらかじめ決められた許容範囲を越えた場合、ユーザーにその旨を報知してもよい。この報知を受けたユーザーは、例えばカラーセンサー１４１を新品に交換するなどの対応を取ることができる。この報知は、視覚（例えば投写映像におけるメッセージの表示、または筐体Ｈに設けられたＬＥＤインジケーター（図示略）の点灯）または聴覚（例えばビープ音）を介して行われる。なお、ＣＰＵ１００は、劣化補償量を用いた出力値の補正を行わず、劣化補償量が許容範囲を越えたことの報知だけを行ってもよい。
【００４７】
カラーセンサー１４１の劣化量すなわち劣化の指標は劣化補償量に限定されない。劣化の程度を示すものであればどのような量が用いられてもよい。また、劣化補償量は色成分毎に算出されず、複数の色成分で共通の劣化補償量が用いられてもよい。
【００４８】
実施形態においてはカラーセンサー１４１の出力値を補正する例を説明したが、カラーセンサー１４１の出力値の補正に代えて、または加えて、カラーセンサー１５１の出力値の補正が行われてもよい。
【００４９】
プロジェクター１のハードウェア構成は実施形態で例示したものに限定されない。要求される機能を実現できるものであれば、プロジェクター１はどのようなハードウェア構成を有していてもよい。
【符号の説明】
【００５０】
１…プロジェクター、１１…映像入力部、１２…色補正部、１３…投写部、１４…色測定部、１５…色測定部、１６…劣化量算出部、１７…記憶部、１８…補正値算出部、１２１…映像処理回路、１３１…光源、１３２…光学系、１３３…光変調器、１３４…投写光学系、１４１…カラーセンサー、１５１…カラーセンサー、１５２…フィルター、１７１…ＬＵＴ
【図１】
2017040676.tif 000003
【図２】
2017040676.tif 000004
【図３】
2017040676.tif 000005
【図４】
2017040676.tif 000006